(57)【特許請求の範囲】
【請求項１】
複数の爪部からなる上部掴み爪と、複数の爪部を設けた下部掴み爪と、前記上部掴み爪と下部掴み爪とが回動するように枢支され且つ開閉制御する開閉機構部と、前記上部掴み爪又は下部掴み爪のいずれか一方に設けられた弧状刃部とからなり、該弧状刃部には、その長手方向に沿って直線状刃部が形成され、前記弧状刃部は前記直線状刃部の直線状刃先縁より突出し、上部掴み爪と下部掴み爪とが閉じた状態で前記弧状刃部は他方側の爪部間に挿入してなることを特徴とする解体機。
【請求項２】
請求項１において、前記弧状刃部の両面には楔状部材が形成されてなることを特徴とする解体機。
【請求項３】
請求項１又は２において、前記弧状刃部は、上部掴み爪と下部掴み爪との回動中心部付近に設けられてなることを特徴とする解体機。
【発明の詳細な説明】
【０００１】
【発明の属する技術分野】
本発明は、木造構造物等の解体を行う解体機であって、特に木造家屋を解体する際に、廃材を掴んで潰すのみでなく、柱等の長尺材を切断して解体し、これらを掴み易くして、作業効率を向上させることができる解体機に関する。
【０００２】
【従来の技術】
従来より、主に家屋等の木造構造物を解体するものとして、パワーショベルのブームにアタッチメントとして装着するものが存在している。この木造構造物の解体用のものとして、フォーク状の二つの可動爪体が回動中心部を基部として、開閉し構造物の構成部材を掴み、圧力をかけて潰すものである。また木造構造物の解体専用としたゆえに、破砕するものは、ほとんどが木製であるために、開閉する両可動爪部にて容易に圧壊することができる。
【０００３】
しかし、木造構成部材の中には、比較的硬い角材もあり、特に柱等に使用する角材は頑丈に製造されていることが多い。また、長尺物のために解体された木造構造物から廃材として処分する際に、解体機の両可動爪で挟んで移動させるのに、挟みにくいし、移動も不安定となる。そのために、長尺物は適当な長さに切断する必要がある。しかし、前述したように硬い部材は、たとえ木製であっても両可動爪部で圧壊するようにしても、容易に切断することはできない。
【０００４】
【発明が解決しようとする課題】
そこで、上記の解体機で、圧壊のみではなく、切断作業も行えるようにしたものとして、両可動爪の回動中心部付近に、鋏状構造とした切断刃を装着したタイプのものが考えられている。これによれば、開閉する両可動爪の両方に切断する刃を備え、両爪部を閉じることにより、木造構造物の構成部材で長尺物の切断を行おうとするものである。
【０００５】
しかし、上述した切断手段によれば、鉄筋，線材又は細い軸部材等の切断には好適であるが、太い角材等を切断する場合に、被切断物から切断刃にかかる反力による抵抗は大きくなり、切断効率が極めて悪くなるか、或いは切断不可能となることもありうる。本発明は、木造構造物の解体において、その作業における長尺な角材等の構成部材を切断して沢山の廃材を掴み易くし、作業効率を向上させることを目的とする。
【０００６】
【課題を解決するための手段】
そこで、発明者は、上記課題を解決すべく、鋭意，研究を重ねた結果、本発明を、複数の爪部からなる上部掴み爪と、複数の爪部を設けた下部掴み爪と、前記上部掴み爪と下部掴み爪とが回動するように枢支され且つ開閉制御する開閉機構部と、前記上部掴み爪又は下部掴み爪のいずれか一方に設けられた弧状刃部とからなり、該弧状刃部には、その長手方向に沿って直線状刃部が形成され、前記弧状刃部は前記直線状刃部の直線状刃先縁より突出し、上部掴み爪と下部掴み爪とが閉じた状態で前記弧状刃部は他方側の爪部間に挿入してなる解体機としたことにより、木造構造物の解体において、その作業における長尺な角材等の構成部材を切断して沢山の廃材を掴み易くし、上記課題を解決したものである。
【０００７】
【発明の実施の形態】
以下、本発明の実施形態を図面に基づいて説明する。本発明の解体機は、主に上部掴み爪１と，下部掴み爪２と，弧状刃部３と，開閉機構部７とから構成される。その上部掴み爪１には、２本の爪部１ａ，１ａが平行で適宜の間隔を有して形成されている。また、下部掴み爪２には、３本の爪部２ａ，２ａ，…が適宜の間隔を有して形成されている〔図１（Ａ），図２（Ｂ）参照〕。
【０００８】
上記爪部１ａ及び爪部２ａは、長手方向に沿って緩やかに弧状をなしており、爪部１ａ及び爪部２ａの弧状内面側同士が対向するようにして配置されている〔図１（Ａ），図２（Ａ）参照〕。そして、前記上部掴み爪１及び下部掴み爪２は、それぞれフォーク形状をなしているが、上部掴み爪１の爪部１ａ，１ａは、下部掴み爪２の爪部２ａ，２ａ，…の数よりも一つ少なくしている〔図１（Ａ），図２（Ｂ）参照〕。
【０００９】
これら上部掴み爪１と下部掴み爪２とは、開閉機構部７を介して開閉自在に構成され、上部掴み爪１と下部掴み爪２とが閉じた状態では、上部掴み爪１側の爪部１ａ，１ａと、下部掴み爪２の爪部２ａ，２ａ，…との先端部分同士が他方側の間隔に挿入可能になっている。前記開閉機構部７における前記上部掴み爪１と下部掴み爪２との開閉機構７としては、リンク機構としたものである。そして、その開閉機構部７が油圧ショベルのブーム８先端に着脱自在に装着され、ブーム８に装着された油圧シリンダを介して、上部掴み爪１と下部掴み爪２との開閉動作が行われるようになっている〔図１（Ｂ），図１（Ａ）参照〕。
【００１０】
次に、上部掴み爪１の爪部１ａ又は下部掴み爪２の爪部２ａのいずれか一方で且つ上部掴み爪１と下部掴み爪２との回動中心部Ｐ付近には、弧状刃部３が装着されている。具体的な実施形態では、上部掴み爪１の二つの爪部１ａ，１ａの回動中心部Ｐ側付近に、弧状刃部３，３が設けられている〔図１（Ａ）参照〕。該弧状刃部３は、具体的には斧又はまさかり形状をなしており、前記上部掴み爪１と下部掴み爪２とが閉じた状態において、前記弧状刃部３，３が下部掴み爪２の爪部２ａ，２ａ，…間に挿入する構造となっている（図３参照）。
【００１１】
その弧状刃部３は、前述したように、斧又はまさかりに形成され、さらに具体的には半割り算盤玉形状のように形成されており、その弧状中心側部から弧状刃先縁３ａに向かうに従い次第に肉厚が薄くなるように形成され、その先端は先鋭に形成されている。
【００１２】
次に、前記弧状刃部３は、直線状刃部４とともに構成される実施形態が存在する〔図５（Ａ），（Ｂ）参照〕。該直線状刃部４は、その長手方向に直線状の刃先を有するものであり、その刃先を直線状刃先縁４ａと称する。該直線状刃部４と弧状刃部３とは一体的に形成されている。そして、該弧状刃部３の長手方向両端から、直線状刃部４が突出状に形成されている。
【００１３】
その弧状刃部３の弧状刃先縁３ａと、直線状刃部４との直線状刃先縁４ａとは略連続している。具体的には、前記弧状刃先縁３ａの長手方向（刃渡り方向に等しい）の両側端の位置が前記直線状刃先縁４ａと一致して両刃先縁が連続した形状である。次に、前記弧状刃部３の上方には、楔状部材５が形成されている。該楔状部材５は、外方上向きの傾斜面が形成されたものであり具体的には、前記弧状刃部３の傾斜に略連続するようにして形成される。
【００１４】
前記上部掴み爪１のそれぞれの爪部１ａ，１ａには、複数の突起片１ａ1 ，１ａ1 ，…が形成され、また下部掴み爪２のそれぞれの爪部２ａ，２ａ，…には、複数の突起片２ａ1 ，２ａ1 ，…が形成される（図１参照）。該固定突起片１ａ1 又は２ａ1 は、前記廃材Ｗを挟持するときに、廃材Ｗを固定することができる〔図６（Ｂ）参照〕。
【００１５】
なお、前述した実施形態では、前記弧状刃部３は上部掴み爪１側の２本の爪部１ａ，１ａに設けられたものであるが、これとは別の実施形態としで、前記弧状刃部３を下部掴み爪２側に設けることもある〔図７（Ａ），（Ｃ）参照〕。この実施形態では、下部掴み爪２の３本の爪部２ａ，２ａ，…において、中央の爪部２ａに弧状刃部３が設けられたものであり、上部掴み爪１と下部掴み爪２とが閉じた状態で、下部掴み爪２側に設けた弧状刃部３は上部掴み爪１の２本の爪部１ａ，１ａの間に挿入するものである〔図７（Ｂ）参照〕。
【００１６】
また、特に図示しないが、前記上部掴み爪１と下部掴み爪２において、前記上部掴み爪１の爪部１ａ，１ａを２本とし、下部掴み爪２の爪部２ａ，２ａ，…を３本としたが、これに限定されるものではなく、上部掴み爪１に３本の爪部１ａ，１ａ，…とし、下部掴み爪２に２本の爪部２ａ，２ａとしてもよい。この場合には、上部掴み爪１側に弧状刃部３を装着する場合には、中央の爪部１ａに装着され、また、下部掴み爪２に弧状刃部３を装着する場合には、２本の爪部２ａ，２ａに装着されることになる。
【００１７】
なお弧状刃部３は、前述したように、上部掴み爪１と下部掴み爪２との回動中心部Ｐ付近に設けられることが好ましいが、前記弧状刃部３は必ずしも回動中心部Ｐ付近に設ける必要はなく、上部掴み爪１又は下部掴み爪２の長手方向の中間箇所に設けることもある〔図８（Ａ），（Ｂ）参照〕。
【００１８】
【作用】
本発明の解体機は、油圧ショベルのブーム８に装着され、油圧ショベルの操縦席から操作する。木造構造物を解体する場合には、上部掴み爪１と下部掴み爪２とで構成部材を挟持し、これを圧壊するものである。圧壊された廃材Ｗは、上部掴み爪１と下部掴み爪２とで挟持されて、運搬車等の別の箇所に移動するものである〔図６（Ｂ）参照〕。
【００１９】
その木造構造物の中で、柱等の長尺な廃材Ｗを切断する場合には、上部掴み爪１と下部掴み爪２の回動中心部Ｐ箇所に長尺物が挟持され、上部掴み爪１と下部掴み爪２とを閉じる。油圧シリンダを介して上部掴み爪１と下部掴み爪２とを閉じる方向に動作させると、最初に弧状刃部３の弧状刃先縁３ａが廃材Ｗに食い込み、その弧状刃先縁３ａの次第に肉厚となるテーパ部分により廃材Ｗの切断部が分布荷重となる押圧力にて押し拡げられる〔図６（Ｃ）参照〕。さらに、上部掴み爪１を閉じると、上部掴み爪１の直線状刃先縁４ａが廃材Ｗに食い込む。
【００２０】
このとき、弧状刃部３と直線状刃部４とから構成される実施形態では、前記弧状刃部３により押し拡げられた切断箇所に直線状刃部４が入り込み、切断と押し拡げとの両方が同時に作用し、比較的少ない力で切断を行うことができる。また、弧状刃部３或いは直線状刃部４に楔状部材５を設けたものでは、上部掴み爪１が廃材Ｗに食い込むに従い、前記楔状部材５が荷重にて廃材Ｗの切断面をさらに押し拡げることができ、切断効率を向上させることができるものである。
【００２１】
また、前述したように、前記弧状刃部３の弧状刃先縁３ａの長手方向（刃渡り方向）の両側端の位置が前記直線状刃部４の直線状刃先縁４ａと一致して両刃先縁が連続させることにより、弧状刃部３と直線状刃部４との境目に廃材Ｗのささくれ等が引っ掛かり、これらが抵抗となって抜けにくいなどといった不都合を防止することができる。
【００２２】
【発明の効果】
請求項１の発明は、複数の爪部１ａ，１ａからなる上部掴み爪１と、複数の爪部２ａ，２ａ，…を設けた下部掴み爪２と、前記上部掴み爪１と下部掴み爪２とが回動するように枢支され且つ開閉制御する開閉機構部７と、前記上部掴み爪１又は下部掴み爪２のいずれか一方に設けられた弧状刃部３とからなり、該弧状刃部３には、その長手方向に沿って直線状刃部４が形成され、前記弧状刃部３は前記直線状刃部４の直線状刃先縁４ａより突出し、上部掴み爪１と下部掴み爪２とが閉じた状態で前記弧状刃部３は他方側の爪部間に挿入してなる解体機としたことにより、木造構造物の解体において、その作業における長尺な角材等の構成部材を切断して沢山の廃材を掴み易くし、作業効率を向上させることができる等の効果を奏する。
【００２３】
上記効果を詳述すると、上部掴み爪１の複数の爪部１ａ，１ａ又は、下部掴み爪２の複数の爪部２ａ，２ａ，…において、いずれか一方で、且つ回動中心部Ｐ付近に弧状刃部３が装着されている。さらに、該弧状刃部３は、刃先縁が長手方向に沿って弧状に形成されたものであり、上部掴み爪１と下部掴み爪２とが閉じた状態で前記弧状刃部３は他方側の爪部間に挿入するようにしているので、木造構造物の解体において、上部掴み爪１と下部掴み爪２との回動中心部Ｐ付近に長尺なる廃材Ｗをくわえるようにすることで、木造構造物の廃材Ｗを効率的に切断することができる。
【００２４】
特に従来では、切断機能を有する解体機は存在しているが、これらの多くは、上下に交差する切断刃同士により切断作業を行うもので、鉄筋等の切断には向いてはいるものの、木材には、不向きである。これに対して本発明の解体機では、弧状刃部３としたものであり、その切断状態はあたかも斧又はまさかりで木材を切断するような状態となり、木造家屋等の解体で、柱等の長尺廃木材を切断し、その後の廃材Ｗの移動を行い易くすることができるものである。
【００２５】
さらに、請求項１の発明では、前記弧状刃部３には、その長手方向に沿って直線状刃部４が形成され、前記弧状刃部３は前記直線状刃部４の直線状刃先縁４ａより突出してなる解体機としたことにより、長尺なる廃材Ｗの切断をより一層強力且つ効率的に行うことができる。
【００２６】
上記効果を詳述すると、前記弧状刃部３と直線状刃部４とからなる切断機能を具備させたものとなり、切断作業の初期には弧状刃部３が廃材Ｗに食い込み、これをある程度切り込みを入れてから、前記上部掴み爪１と下部掴み爪２とを閉じるに従い、直線状刃部４が廃材Ｗに食い込み、前記弧状刃部３により切り込まれた箇所を直線状刃部４にて押し拡げるように作用する。これによって、特に硬い木材からなる廃材Ｗの切断を強力に行い、且つその作業を効率的に行うことができるものである。
【００２７】
次に、請求項２の発明は、請求項１において、前記弧状刃部３の両面には楔状部材５が形成されてなる解体機としたことにより、廃材Ｗの切断工程において、弧状刃部３或いは直線状刃部４が廃材Ｗを切り込むときに、楔状部材５がその廃材Ｗの切り込んだ部分をさらに大きく押し拡げることができ、切断力をより一層強力なものにすることができ、作業速度を向上させることができる。
【００２８】
次に、請求項３の発明は、請求項１又は２において、前記弧状刃部３は、上部掴み爪１と下部掴み爪２との回動中心部Ｐ付近に設けられてなる解体機としたことにより、前記弧状刃部３は、上部掴み爪１と下部掴み爪２との回動中心部Ｐ付近に設けられているので、上部掴み爪１と下部掴み爪２とは、廃材Ｗを挟持する範囲を広く有することができ、比較的多めの廃材Ｗを挟持することができ、作業効率を向上させることができる。
【図面の簡単な説明】
【図１】（Ａ）は本発明において上部掴み爪と下部掴み爪とが開いた状態の斜視図
（Ｂ）は上部掴み爪と下部掴み爪とが閉じた状態の側面図
【図２】（Ａ）は上部掴み爪と下部掴み爪とが開いた状態の側面図
（Ｂ）は上部掴み爪と下部掴み爪とが開いた状態の回動中心部箇所の平面図
【図３】上部掴み爪と下部掴み爪とが閉じた状態の回動中心付近の拡大縦断正面図
【図４】弧状刃部の斜視図
【図５】（Ａ）は本発明の別の実施形態において上部掴み爪と下部掴み爪とが開いた状態の側面図
（Ｂ）は直線状刃部と弧状刃部の斜視図
（Ｃ）は直線状刃部と弧状刃部に亘って楔状部材を装着した斜視図
【図６】（Ａ）は弧状刃部にて廃材を切断した状態を示す側面図
（Ｂ）は上部掴み爪と下部掴み爪とで廃材を挟持している状態図
（Ｃ）は廃材を切断した作用の縦断正面図
【図７】（Ａ）は下部掴み爪に弧状刃部が装着された実施形態の斜視図
（Ｂ）は下部掴み爪に弧状刃部が装着された実施形態の回動中心部付近の縦断正面図
（Ｃ）は下部掴み爪に弧状刃部が装着された実施形態の要部平面図
【図８】（Ａ）は本発明において弧状刃部が回動中心部以外の箇所に装着された実施形態の上部掴み爪と下部掴み爪とが開いた状態の斜視図
（Ｂ）は上部掴み爪と下部掴み爪とが閉じた状態の側面図
【符号の説明】
１…上部掴み爪
１ａ…爪部
２…下部掴み爪
２ａ…爪部
３…弧状刃部
４…直線状刃部
４ａ…直線状刃先縁
５…楔状部材
７…開閉機構部
Ｐ…回動中心部
【図１】
0004394847.tif 000002
【図２】
0004394847.tif 000003
【図３】
0004394847.tif 000004
【図４】
0004394847.tif 000005
【図５】
0004394847.tif 000006
【図６】
0004394847.tif 000007
【図７】
0004394847.tif 000008
【図８】
0004394847.tif 000009